(57)【要約】      （修正有）【課題】記憶媒体に記憶された多くの画像データを複数の縮小画像にして並べて表示しカーソル等の操作手段を用いて画像データを含むアイコンを操作するユーザーインターフェイス表示装置及びその表示方法を提供する。【解決手段】サーバ、ＣＤ等の記憶装置に記憶された少なくとも一つの画像データを読み取る読取手段と、前記画像データを表示する表示手段と、操作手段と、前記操作手段によって作動するカーソルと、前記表示手段に配された前記画像データを移動可能にした移動手段と、アイコンに前記カーソルが触れると前記アイコンを回転させることで、どのサムネイルを選択しているかが一目で認識することができ、さらに画像を含めたアイコンが一時保管されていることを示す状態が表示でき、多くの画像データ内からプリント予約処理が簡単に行える。【選択図】図１
2008108011.tif 000002
【特許請求の範囲】
【請求項１】
サーバ、ＣＤ等の記憶装置に記憶された少なくとも一つの画像データを読み取る読取手段と、前記画像データを表示する表示手段と、操作手段と、前記操作手段によって作動するカーソルと、前記表示手段に配された前記画像データを移動可能にした移動手段と、前記アイコンに前記カーソルが触れると前記アイコンを回転させる回転手段とを備えたユーザーインターフェイス表示装置。
【請求項２】
前記表示手段の水平及び垂直方向において５度以内で傾斜した角度で配置されたアイコンに前記カーソルが触れると前記アイコンを前記表示手段の水平及び垂直方向にほぼ沿う状態に配置する回転手段を備えた請求項１に記載のユーザーインターフェイス表示装置。
【請求項３】
前記アイコンに前記カーソルが触れると前記アイコンは前記表示手段の水平及び垂直方向において５度以内で傾斜した角度で配置する回転手段を備えた請求項１に記載のユーザーインターフェイス表示装置。
【請求項４】
サーバ、ＣＤ等の記憶装置に記憶された少なくとも一つの画像データを読み取る読取手段と、前記画像データを表示する表示手段と、操作手段と、前記操作手段によって作動するカーソルと、画像データ一時保管部と、一時保管指示アイコンと、前記アイコンをドラッグアンドドロップ操作又は、前記一時保管指示アイコンの操作により、前記画像データを前記保管部に移動された場合に、前記アイコンは一時保管されていることを示す状態表示手段とを備えたユーザーインターフェイス表示装置。
【請求項５】
前記アイコンに前記カーソルが触れると前記アイコンは拡大される拡大手段を備えた請求項１または請求項２または請求項３または請求項４に記載のユーザーインターフェイス表示装置。
【請求項６】
前記アイコンに前記カーソルが触れると前記アイコンは拡大され、且つ前記画像データに関連する付属情報が表示される表示手段を備えた請求項１または請求項２または請求項３または請求項４に記載のユーザーインターフェイス表示装置。
【請求項７】
前記アイコンは、ネットワークに繋がれた一人以上の複数人がアクセスできる画像データを含み、前記画像データはコメントの付加が可能であり、前記アイコンにコメントが追加された状態を示す状態表示手段とを備えた請求項１または請求項２または請求項３または請求項４に記載のユーザーインターフェイス表示装置。
【請求項８】
前記アイコンは、ネットワークに繋がれた一人以上の複数人が画像データを閲覧できる画像データを含み、前記画像データは自分以外がネットワークを通じて画像データを追加し、前記画像データが追加された状態を示す状態表示手段とを備えた請求項１または請求項２または請求項３または請求項４に記載のユーザーインターフェイス表示装置。
【請求項９】
サーバ、ＣＤ等の記憶装置に記憶された少なくとも一つの画像データを読み取る読取るステップと、前記画像データを表示する表示するステップと、前記表示手段に配された前記画像データを移動させるステップと、前記アイコンに前記カーソルが触れると前記アイコンを回転させる回転ステップとを備えたユーザーインターフェイス表示方法。
【請求項１０】
サーバ、ＣＤ等の記憶装置に記憶された少なくとも一つの画像データを読み取る読み取りステップと、前記画像データを表示する表示ステップと、前記表示手段に配された前記画像データを移動させるステップと、画像データ一時保管するステップと、前記画像データを前記保管部に移動させた場合に、前記アイコンは一時保管されていることを示す状態表示ステップとを備えたユーザーインターフェイス表示方法。
【請求項１１】
サーバ、ＣＤ等の記憶装置に記憶された少なくとも一つの画像データを読み取る読取手段と、前記画像データを表示する表示手段と、操作手段と、前記操作手段によって作動するカーソルと、画像データ一時保管部と、一時保管指示アイコンと、前記表示手段に配された前記画像データを移動させる移動手段と、前記アイコンに前記カーソルが触れると前記アイコンを回転させる回転手段と、前記アイコンをドラッグアンドドロップ操作又は、前記一時保管指示アイコンの操作により、前記画像データを前記保管部に移動させた場合に、前記アイコンは一時保管されていることを示す状態表示手段を備えたユーザーインターフェイス表示装置。
【請求項１２】
サーバ、ＣＤ等の記憶装置に記憶された少なくとも一つの画像データを読み取る読取りステップと、前記画像データを表示する表示ステップと、前記画像データを移動させるステップと、画像データを一時保管するステップと、前記アイコンに操作手段のカーソルが触れると前記アイコンは回転する回転ステップと、前記アイコンをドラッグアンドドロップ操作により、前記画像データを前記保管部に移動された場合に、前記アイコンは一時保管されていることを示す状態表示ステップを備えたユーザーインターフェイス表示方法。
【発明の詳細な説明】
【技術分野】
【０００１】
本発明は、記憶媒体に記憶された多くの画像データを複数の縮小画像にして並べて表示しカーソル等の操作手段を用いて画像データを含むアイコンを操作するユーザーインターフェイス表示装置及びその表示方法に関する。
【背景技術】
【０００２】
従来、デジタルカメラで撮影した画像を検索するために、例えば、そのデジタルカメラが備える表示パネル、或いはデジタルカメラに接続された外部に表示装置に、撮影した画像を縮小させて複数並べて配置させる、いわゆるサムネイル表示を行うことがある。サムネイル表示した画像を別に設定した一時保管箱にドラックアンドドロップ操作を行って、ごみ箱やプリント用の写真を一時保管し、プリント予約処理や消去処理を行うことが下記の特許文献１に記載されている。  
【０００３】
しかし、サムネイル表示された画像は同一形状で碁盤目状に配置されており、特に初めて操作する人には保管箱に対してどのようにドラックアンドドロップ操作をして収納するのかよくわからず途方に迷うことも多々あった。また、画像が大量にある場合、どの画像を自分がドラックアンドドロップ操作を行ったか目視で判別がつかないため一時保管箱の中身を確認する必要があり、ユーザーに手間をかけることがあった。
【特許文献１】特開２００５−１５１１１５号公報
【発明の開示】
【課題を解決するための手段】
【０００４】
本発明の請求項１は、サーバ、ＣＤ等の記憶装置に記憶された少なくとも一つの画像データを読み取る読取手段と、前記画像データを表示する表示手段と、操作手段と、前記操作手段によって作動するカーソルと、前記表示手段に配された前記画像データを移動可能にした移動手段と、前記アイコンに前記カーソルが触れると前記アイコンを回転させる回転手段とを備えたユーザーインターフェイス表示装置に関するものである。
【０００５】
本発明の請求項２は、請求項１に従属するもので、前記表示手段の水平及び垂直方向において５度以内で傾斜した角度で配置されたアイコンに前記カーソルが触れると前記アイコンを前記表示手段の水平及び垂直方向にほぼ沿う状態に配置する回転手段を備えた請求項１に記載のユーザーインターフェイス表示装置に関するものである。
【０００６】
本発明の請求項３は、請求項１に従属するもので、前記アイコンに前記カーソルが触れると前記アイコンは前記表示手段の水平及び垂直方向において５度以内で傾斜した角度で配置する回転手段を備えた請求項１に記載のユーザーインターフェイス表示装置に関するものである。
【０００７】
本発明の請求項４は、サーバ、ＣＤ等の記憶装置に記憶された少なくとも一つの画像データを読み取る読取手段と、前記画像データを表示する表示手段と、操作手段と、前記操作手段によって作動するカーソルと、画像データ一時保管部と、一時保管指示アイコンと、前記アイコンをドラッグアンドドロップ操作又は、前記一時保管指示アイコンの操作により、前記画像データを前記保管部に移動された場合に、前記アイコンは一時保管されていることを示す状態表示手段とを備えたユーザーインターフェイス表示装置に関するものである。
【０００８】
本発明の請求項５は、請求項１または請求項２または請求項３または請求項４に従属するもので、前記アイコンに前記カーソルが触れると前記アイコンは拡大される拡大手段を備えた請求項１または請求項２または請求項３または請求項４に記載のユーザーインターフェイス表示装置に関するものである。
【０００９】
本発明の請求項６は、請求項１または請求項２または請求項３または請求項４に従属するもので、前記アイコンに前記カーソルが触れると前記アイコンは拡大され、且つ前記画像データに関連する付属情報が表示される表示手段を備えた請求項１または請求項２または請求項３または請求項４に記載のユーザーインターフェイス表示装置に関するものである。
【００１０】
本発明の請求項７は、前記アイコンは、ネットワークに繋がれた一人以上の複数人がアクセスできる画像データを含み、前記画像データはコメントの付加が可能であり、前記アイコンにコメントが追加された状態を示す状態表示手段とを備えた請求項１または請求項２または請求項３または請求項４に記載のユーザーインターフェイス表示装置に関するものである。
【００１１】
本発明の請求項８は、請求項１または請求項２または請求項３または請求項４に従属するもので、前記アイコンは、ネットワークに繋がれた一人以上の複数人が画像データを閲覧できる画像データを含み、前記画像データは自分以外がネットワークを通じて画像データを追加し、前記画像データが追加された状態を示す状態表示手段とを備えた請求項１または請求項２または請求項３または請求項４に記載のユーザーインターフェイス表示装置に関するものである。
【００１２】
本発明の請求項９は、サーバ、ＣＤ等の記憶装置に記憶された少なくとも一つの画像データを読み取る読取るステップと、前記画像データを表示する表示するステップと、前記表示手段に配された前記画像データを移動させるステップと、前記アイコンに前記カーソルが触れると前記アイコンを回転させる回転ステップとを備えたユーザーインターフェイス表示方法に関する。
【００１３】
本発明の請求項１０は、サーバ、ＣＤ等の記憶装置に記憶された少なくとも一つの画像データを読み取る読み取りステップと、前記画像データを表示する表示ステップと、前記表示手段に配された前記画像データを移動させるステップと、画像データ一時保管するステップと、前記画像データを前記保管部に移動させた場合に、前記アイコンは一時保管されていることを示す状態表示ステップとを備えたユーザーインターフェイス表示方法に関するものである。
【００１４】
本発明の請求項１１は、サーバ、ＣＤ等の記憶装置に記憶された少なくとも一つの画像データを読み取る読取手段と、前記画像データを表示する表示手段と、操作手段と、前記操作手段によって作動するカーソルと、画像データ一時保管部と、一時保管指示アイコンと、前記表示手段に配された前記画像データを移動させる移動手段と、前記アイコンに前記カーソルが触れると前記アイコンを回転させる回転手段と、前記アイコンをドラッグアンドドロップ操作又は、前記一時保管指示アイコンの操作により、前記画像データを前記保管部に移動させた場合に、前記アイコンは一時保管されていることを示す状態表示手段を備えたユーザーインターフェイス表示装置に関するものである。
【００１５】
本発明の請求項１２は、サーバ、ＣＤ等の記憶装置に記憶された少なくとも一つの画像データを読み取る読取りステップと、前記画像データを表示する表示ステップと、前記画像データを移動させるステップと、画像データを一時保管するステップと、前記アイコンに操作手段のカーソルが触れると前記アイコンは回転する回転ステップと、前記アイコンをドラッグアンドドロップ操作により、前記画像データを前記保管部に移動された場合に、前記アイコンは一時保管されていることを示す状態表示ステップを備えたユーザーインターフェイス表示方法に関するものである。
【００１６】
本発明の請求項１１は、サーバ、ＣＤ等の記憶装置に記憶された少なくとも一つの画像データを読み取る読取りステップと、前記画像データを表示する表示ステップと、前記画像データは移動可能で、画像データ一時保管するステップと、前記アイコンに操作手段のカーソルが触れると前記アイコンは回転する回転ステップと、前記アイコンをドラッグアンドドロップ操作により、前記画像データを前記保管部に移動された場合に、前記アイコンは一時保管されていることを示す色やマークや傾斜角度を可変表示する可変表示ステップを備えたユーザーインターフェイス表示方法に関するものである。
【発明の効果】
【００１７】
本発明により、サムネイル表示された画像を、カーソルを用いて選択した場合、アイコンが傾斜し拡大され画像の付属情報を表示するため、どのサムネイルを選択しているかが一目で認識することができる。また、サムネイル表示された各画像の駒が同一形状で碁盤目状に整列配置されていないので、いかにもこの画像の駒をドラックアンドドロップさせてデータ保管部に集積させることをイメージさせ、始めて操作する人にとって操作性上好都合な表示となる効果を有している。特に、画面をスクロールさせてサムネイルを表示させる程の画像データがある場合、ユーザーはどの画像データをドラックアンドドロップ操作を行い保管部に入れたかが分からないが、本発明では、保管部に画像が入るとアイコンの色やマークや傾斜角度が変わるため複数の画面にサムネイル画像が分かれた場合においても一目でどの画像データを保管部に入れているかが分かり、ユーザーを困惑させることがない。
【発明を実施するための最良の形態】
【００１８】
図１は本発明のブロック図を示し、本システムをつかさどる制御部を１としている。なお、前記制御部はハードディスク等の記憶部を有している。前記制御部のカーソル等の操作部を２、また、メディアスロット等の読取部を３、前記制御部のキーボード等の入力部を４とする。
なお、ネットワークに繋がれている場合は、サーバを外部記憶部５として使用することができる。
【００１９】
図２は、本ユーザーインターフェイス表示装置における前述の制御部１の作動を示すフローチャートである。まず、操作部４がアイコンに触れた場合を説明する、本ユーザーインターフェイス表示装置では、Ｓ１でＣＤ、サーバ等から画像データを受信し、Ｓ２で図１の３の読取部から画像データを図１の１の記憶部に伝達を行う。Ｓ３で図１の表示部２に画像データをアイコンとして表示し、Ｓ４で図１の操作部４を操作し、制御部１は、Ｓ５でアイコンがカーソルに触れると、Ｓ６で示されているようにアイコンが回転し、拡大表示させ前記アイコンを含む画像データの付属情報を表示させる。この付属情報は撮影日やアップロード日、写真タイトル、写真ファイル名等の写真が持ちうる情報である。
【００２０】
図３は、本ユーザーインターフェイス表示装置における前述の制御部１のアイコンを一時保管した場合のアイコンの形状の変化の各ステップで示したフローチャートである。本ユーザーインターフェイス表示装置では、Ｓ７でＣＤ、サーバ等から画像データを受信し、Ｓ８で図１の３の読取部から画像データを記憶部に伝達を行う。Ｓ９で図１の表示部２に画像データをアイコンとして表示させ。Ｓ１０で図１の操作部４を操作し、Ｓ１１カーソルで選択されたアイコンをドラックアンドドロップや一時保管指示アイコンを操作することにより、Ｓ１２で選択されたアイコンを一時保管部に保管し、Ｓ１３で示されているようにアイコンの形状を変更させ、前記アイコンが一時保管されているマークや色を変えるや傾斜角度を変更した状態を表示させる。
【００２１】
図４は、本ユーザーインターフェイス表示装置における前述の制御部１がサーバに繋がれ自分以外のユーザーが画像データにコメント等の付帯情報を追加させ、新規画像をサーバに追加した場合のアイコンの形状の変化を各ステップで示したフローチャートである。本ユーザーインターフェイス表示装置では、Ｓ１４で図１の５から画像データを受信し、Ｓ１５で図１の１の記憶部に伝達を行う。Ｓ１６で図１の表示部２に画像データをアイコンとして表示させ。Ｓ１７で図１の操作部４より、コメントの付加、乃至は画像データを追加し、Ｓ１８で該画像データ及び付加情報をネットワークで繋がれたサーバ等の記憶部に伝達し、Ｓ１９で前記情報を追加した以外のユーザーが該画像データにアクセスし、Ｓ２０で示されているようにアイコンの形状を変更させ、前記アイコンが自分以外の画像データであるマークや色を変えるや傾斜角度を変更した状態を表示させる。
【００２２】
図５は、本発明に係るコンピュータ上の画面を示す。aはＳ３の及びＳ９及びＳ１６の表示部に表示されたアイコンを示し、bはアイコンにカーソルがのっておらずアイコンが一時保存に保管されておらず、自分の画像データである状態を示している。cは自分以外の画像データであるＳ２０を示し、dはアイコンが一時保存部に保管されている状態であるＳ１３を示している。eはＳ６のアイコンがカーソルにのっている状態を示しアイコンが拡大され付属情報が表示されている。またfはＳ１２で示す一時保存部でありaにあるアイコンをfにドラックアンドドロップ操作や一時保管指示アイコンを操作した状態であるＳ１２を示す。
【図面の簡単な説明】
【００２３】
【図１】本発明に係るブロック図を示す。
【図２】本発明に係る主要ステップを示す。
【図３】本発明に係る主要ステップを示す。
【図４】本発明に係る主要ステップを示す。
【図５】本発明に係るコンピュータ上の画面を示す。
【符号の説明】
【００２４】
１・・・・制御部
２・・・・表示部
３・・・・読取部
４・・・・操作部
５・・・・サーバ
【図１】
2008108011.tif 000003
【図２】
2008108011.tif 000004
【図３】
2008108011.tif 000005
【図４】
2008108011.tif 000006
【図５】
2008108011.tif 000007